(57)【要約】【課題】力をいれずに触れることでシャッターを切ることができ、被写体を撮影する際に手振れが生じることを防止することができると共に、意図せずにシャッターが切れてしまうことを防止することが可能な撮像装置及び撮像方法を提供する。【解決手段】筐体１１と、筐体１１に内蔵されたシャッター１８と、筐体１１に内蔵されると共に、シャッター１８が開いた際にレンズを介して入射された光学画像を撮影する撮像部と、筐体１１に配設され、シャッター１８の開閉操作を行う操作部とを有し、操作部は、筐体１１をユーザが把持した際に、ユーザが接触可能な第１のタッチセンサ２０及びシャッターボタン（第２のタッチセンサ）１６を有し、第１のタッチセンサ２０が接触され、且つ当該接触から所定時間以内にシャッターボタン１６が接触された後、シャッター１８の開閉操作を行う撮像装置１である。【選択図】図１
2011172168.tif 000002
【特許請求の範囲】
【請求項１】
筐体と、
前記筐体に内蔵されたシャッターと、
前記筐体に内蔵されると共に、前記シャッターが開いた際に入射される光を受光して被写体を撮影する撮像部と、
前記筐体に配設され、前記シャッターの開閉操作を行う操作部と、
前記筐体の第１の面に配設されたタッチパネルと、
を有し、
前記操作部は、前記筐体をユーザが把持した際に、当該ユーザが接触可能な第１のタッチセンサ及び第２のタッチセンサを有し、前記第１のタッチセンサが接触を検出し、且つ当該接触から所定時間以内に前記第２のタッチセンサが接触を検出した後、前記シャッターの開閉操作を行い、
前記タッチパネルの所定領域が前記第１のタッチセンサとして機能し、
前記第２のタッチセンサは、前記筐体の前記第１の面とは異なる第２の面に配設されてなる撮像装置。
【請求項２】
筐体と、
前記筐体に内蔵されたシャッターと、
前記筐体に内蔵されると共に、前記シャッターが開いた際に入射される光を受光して被写体を撮影する撮像部と、
前記筐体に配設され、前記シャッターの開閉操作を行う操作部と、
を有し、
前記操作部は、前記筐体をユーザが把持した際に、当該ユーザが接触可能な第１のタッチセンサ及び第２のタッチセンサを有し、前記第１のタッチセンサが接触を検出し、且つ当該接触から所定時間以内に前記第２のタッチセンサが接触を検出した後、前記シャッターの開閉操作を行う撮像装置。
【請求項３】
前記操作部は、前記第１のタッチセンサが前記接触の解除を検出し、且つ当該接触の解除から所定時間以内に前記第２のタッチセンサが接触を検出した後、前記シャッターの開閉操作を行う請求項２記載の撮像装置。
【請求項４】
前記操作部は、前記第１のタッチセンサが接触を検出している状態で前記第２のタッチセンサが接触を検出した後、前記シャッターの開閉操作を行う請求項２記載の撮像装置。
【請求項５】
前記操作部は、前記第２のタッチセンサが前記接触の解除を検出し、且つ当該接触の解除から所定時間以内に前記第２のタッチセンサが接触を検出した後、前記シャッターの開閉操作を行う請求項２記載の撮像装置。
【請求項６】
前記操作部は、前記第２のタッチセンサが所定時間以上接触されたことを検出した際に、当該接触が解除されるまで一定時間経過毎に前記シャッターの開閉操作を行う請求項２記載の撮像装置。
【請求項７】
前記操作部は、前記第２のタッチセンサが接触を検出した際に、前記シャッターの開閉操作を行う請求項２記載の撮像装置。
【請求項８】
前記操作部は、前記第２のタッチセンサが前記接触の解除を検出した際に、前記シャッターの開閉操作を行う請求項２記載の撮像装置。
【請求項９】
前記第１のタッチセンサは、前記筐体の第１の面に配置されてなり、
前記第２のタッチセンサは、前記筐体の前記第１の面とは異なる第２の面に配置されてなる請求項２記載の撮像装置。
【請求項１０】
前記筐体に配設されたタッチパネルをさらに有し、当該タッチパネルの一部が前記第１のタッチセンサ及び第２のタッチセンサの少なくとも一方として機能する請求項２記載の撮像装置。
【請求項１１】
前記タッチパネルのうち、前記第１のタッチセンサ及び第２のタッチセンサの少なくとも一方として機能する領域は、前記ユーザが任意に設定可能である請求項１０記載の撮像装置。
【請求項１２】
前記筐体に配設されたタッチパネルをさらに有し、当該タッチパネルの互いに間隔をおいた所定領域が前記第１のタッチセンサ及び第２のタッチセンサとして機能する請求項２記載の撮像装置。
【請求項１３】
前記タッチパネルの所定領域は、前記ユーザが任意に設定可能である請求項１２記載の撮像装置。
【請求項１４】
前記撮像部は、オートフォーカス機能を有し、前記第１のタッチセンサが接触を検出した際に焦点距離を決定する請求項２記載の撮像装置。
【請求項１５】
前記操作部は、指紋認証を行う制御部を有し、当該制御部は、前記第１のタッチセンサが接触を検出した際に出力される信号に基づいて指紋認証が正しいと判断した際に、当該第１のタッチセンサが接触を検出したと判断する請求項２記載の撮像装置。
【請求項１６】
前記第１のタッチセンサを２つ有し、当該各々の第１のタッチセンサは、互いに間隔を置いた位置に配設され、前記操作部は、前記２つの第１のタッチセンサが接触を検出し、且つ当該接触から所定時間以内に前記第２のタッチセンサが接触を検出した後、前記シャッターの開閉操作を行う請求項２記載の撮像装置。
【請求項１７】
請求項２に記載の撮像装置と、
無線によってデータ通信を行うデータ通信機能と、
を備えてなる携帯端末。
【請求項１８】
シャッターの開閉操作により被写体を撮影する撮像方法であって、
撮像装置の筐体に配設された第１のタッチセンサが接触を検出すること、
前記第１のタッチセンサが接触を検出した後、前記撮像装置の筐体に配設された第２のタッチセンサが接触を検出すること、
を含み、
前記第２のタッチセンサが接触を検出した後、前記撮像装置の制御部が前記シャッターの開閉操作を行う撮像方法。
【発明の詳細な説明】
【技術分野】
【０００１】
本開示は、シャッターを有し、当該シャッターの開閉に応じて画像を撮影する撮像装置及び撮像方法に関する。
【背景技術】
【０００２】
従来から、被写体の静止画像を撮影する撮像装置としてカメラが使用されている。従来の一般的なカメラでは、被写体の静止画像を撮影するためにシャッターボタンを押す必要があるが、シャッターボタンを押し切るにはある程度の力を与える必要がある。したがって、カメラを動かさずにシャッターボタンを押し切る動作により手振れが生じ、撮影した静止画像をぶれさせる原因となっていた。
【０００３】
そこで、ぶれのない鮮明な静止画像を撮影するため、カメラを三脚に固定すると共に、レリーズをシャッターボタンに接続し、当該レリーズを操作してシャッターを切る等、直接シャッターボタンを押さずに静止画像を撮影することが行われている。
【０００４】
近年では、カメラにタッチパネルやタッチパッド等を配設し、これらの所望位置にシャッターボタンの機能を持たせることで、当該所望位置に力をいれずに触れることでシャッターを切り、画像を撮影するデジタルカメラも紹介されている。このようなタッチパネル式のシャッターボタンを有するデジタルカメラでは、ユーザがシャッターボタンに接触した後、当該シャッターボタンから指を離した時にシャッターを切ることで、当該シャッターボタンに接触する動作により生じた手振れに影響されることなく画像を撮影する方法も開示されている。（例えば、非特許文献１参照）。
【先行技術文献】
【非特許文献】
【０００５】
【非特許文献１】「iPhoneのカメラでぶれずにシャッターを押す方法」、You Tube、＜ＵＲＬ：http://www.youtube.com/watch?gl=JP&hl=ja&v=744ZzGxiRLc＞、[平成22年1月18日検索]
【発明の概要】
【発明が解決しようとする課題】
【０００６】
しかしながら、タッチパネルやタッチパッド等の所望位置にシャッターボタンの機能を持たせたカメラは、当該所望位置に力をいれずに触れるだけでシャッターを切ることができるため、例えば、ユーザがポケットや鞄等にカメラを入れておいた際に、当該所望位置に何かが触れた際に、意図せずにシャッターが切れてしまうことが考えられる。
【０００７】
また、シャッターボタンから指を離した時にシャッターを切る構成のカメラも、シャッターボタンがタッチパッドによって形成されており、力をいれずに触れて離すだけでシャッターを切ることができるため、例えば、ユーザがポケットや鞄等にカメラを入れておいた際に、当該所望位置に何かが触れたり離れたりした際に、意図せずにシャッターが切れてしまうことが考えられる。
【０００８】
そこで、力をいれずに触れることでシャッターを切ることができ、被写体を撮影する際に手振れが生じることを防止することができると共に、意図せずにシャッターが切れてしまうことを防止することが可能な撮像装置及び撮像方法が望まれている。
【課題を解決するための手段】
【０００９】
本開示に係る撮像装置は、筐体と、前記筐体に内蔵されたシャッターと、前記筐体に内蔵されると共に、前記シャッターが開いた際に入射される光を受光して被写体を撮影する撮像部と、前記筐体に配設され、前記シャッターの開閉操作を行う操作部と、前記筐体の第１の面に配設されたタッチパネルとを有し、前記操作部は、前記筐体をユーザが把持した際に、当該ユーザが接触可能な第１のタッチセンサ及び第２のタッチセンサを有し、前記第１のタッチセンサが接触を検出し、且つ当該接触から所定時間以内に前記第２のタッチセンサが接触を検出した後、前記シャッターの開閉操作を行い、前記タッチパネルの所定領域が前記第１のタッチセンサとして機能し、前記第２のタッチセンサは、前記筐体の前記第１の面とは異なる第２の面に配設されてなる構成を有している。
【００１０】
また、本開示に係る撮像装置は、筐体と、前記筐体に内蔵されたシャッターと、前記筐体に内蔵されると共に、前記シャッターが開いた際に入射される光を受光して被写体を撮影する撮像部と、前記筐体に配設され、前記シャッターの開閉操作を行う操作部とを有し、前記操作部は、前記筐体をユーザが把持した際に、当該ユーザが接触可能な第１のタッチセンサ及び第２のタッチセンサを有し、前記第１のタッチセンサが接触を検出し、且つ当該接触から所定時間以内に前記第２のタッチセンサが接触を検出した後、前記シャッターの開閉操作を行うことができる。
【００１１】
また、本開示に係る撮像装置の操作部は、前記第１のタッチセンサが前記接触の解除を検出し、且つ当該接触の解除から所定時間以内に前記第２のタッチセンサが接触を検出した後、前記シャッターの開閉操作を行うことができる。
【００１２】
そしてまた、本開示に係る撮像装置の操作部は、前記第１のタッチセンサが接触を検出している状態で前記第２のタッチセンサが接触を検出した後、前記シャッターの開閉操作を行うことができる。
【００１３】
また、本開示に係る撮像装置の操作部は、前記第２のタッチセンサが前記接触の解除を検出し、且つ当該接触の解除から所定時間以内に前記第２のタッチセンサが接触を検出した後、前記シャッターの開閉操作を行うことができる。
【００１４】
さらにまた、本開示に係る撮像装置の操作部は、前記第２のタッチセンサが所定時間以上接触されたことを検出した際に、当該接触が解除されるまで一定時間経過毎に前記シャッターの開閉操作を行うことができる。
【００１５】
また、本開示に係る撮像装置の操作部は、前記第２のタッチセンサが接触を検出した際に、前記シャッターの開閉操作を行うことができる。
【００１６】
そしてまた、本開示に係る撮像装置の操作部は、前記第２のタッチセンサが前記接触の解除を検出した際に、前記シャッターの開閉操作を行うことができる。
【００１７】
また、本開示に係る撮像装置は、前記第１のタッチセンサが前記筐体の第１の面に配置され、前記第２のタッチセンサが前記筐体の前記第１の面とは異なる第２の面に配置された構成を有することができる。
【００１８】
さらにまた、本開示に係る撮像装置は、前記筐体に配設されたタッチパネルをさらに有し、当該タッチパネルの一部が前記第１のタッチセンサ及び第２のタッチセンサの少なくとも一方として機能することができる。この構成の場合、前記タッチパネルのうち、前記第１のタッチセンサ及び第２のタッチセンサの少なくとも一方として機能する領域は、前記ユーザが任意に設定することができる。
【００１９】
そしてまた、本開示に係る撮像装置は、前記筐体に配設されたタッチパネルをさらに有し、当該タッチパネルの互いに間隔をおいた所定領域が前記第１のタッチセンサ及び第２のタッチセンサとして機能することができる。この構成の場合、前記タッチパネルの所定領域は、前記ユーザが任意に設定することができる。
【００２０】
また、本開示に係る撮像装置の撮像部は、オートフォーカス機能を有し、前記第１のタッチセンサが接触を検出した際に焦点距離を決定することができる。
【００２１】
さらにまた、前記操作部は、指紋認証を行う制御部を有し、当該制御部は、前記第１のタッチセンサが接触を検出した際に出力される信号に基づいて指紋認証が正しいと判断した際に、当該第１のタッチセンサが接触を検出したと判断するよう構成することができる。
【００２２】
また、本開示に係る撮像装置の撮像部は、前記第１のタッチセンサを２つ有し、当該各々の第１のタッチセンサは、互いに間隔を置いた位置に配設され、前記操作部は、前記２つの第１のタッチセンサが接触を検出し、且つ当該接触から所定時間以内に前記第２のタッチセンサが接触を検出した後、前記シャッターの開閉操作を行うよう構成することができる。
【００２３】
そしてまた、本開示に係る携帯端末は、前述した本開示に係る撮像装置と、無線によってデータ通信を行うデータ通信機能とを備えることができる。
【００２４】
また、本開示に係る撮像方法は、シャッターの開閉操作により被写体を撮影する撮像方法であって、撮像装置の筐体に配設された第１のタッチセンサが接触を検出すること、前記第１のタッチセンサが接触を検出した後、前記撮像装置の筐体に配設された第２のタッチセンサが接触を検出することを含み、前記第２のタッチセンサが接触を検出した後、前記撮像装置の制御部が前記シャッターの開閉操作を行うことができる。
【図面の簡単な説明】
【００２５】
【図１】本開示の実施形態１に係る撮像装置を簡略的に示す正面斜視図である。
【図２】図１に示す撮像装置を簡略的に示す背面斜視図である。
【図３】本開示の実施形態１に係る撮像装置のシャッターの開閉を行うための機能的構成を示すブロック図である。
【図４】本開示の実施形態１に係る撮像装置のシャッターの開閉を行うためのフローチャートである。
【図５】本開示の他の実施形態に係る撮像装置を簡略的に示す背面斜視図である。
【図６】本開示の実施形態２に係る撮像装置を簡略的に示す正面斜視図である。
【図７】本開示の実施形態２に係る撮像装置が電話機モードにある状態を簡略的に示す正面斜視図である。
【図８】本開示の実施形態２に係る撮像装置がカメラモードにある状態を簡略的に示す正面斜視図である。
【発明を実施するための形態】
【００２６】
次に、本開示の一実施形態に係る撮像装置及び撮像方法について図面を参照して説明する。なお、以下に記載される実施形態は、本開示を説明するための例示であり、本開示をこれらの実施形態にのみ限定するものではない。したがって、本開示は、その要旨を逸脱しない限り、様々な形態で実施することができる。
【実施形態１】
【００２７】
図１は、本開示の実施形態１に係る撮像装置を簡略的に示す正面斜視図、図２は、図１に示す撮像装置を簡略的に示す背面斜視図、図３は、実施形態１に係る撮像装置のシャッターの開閉を行うための機能的構成を示すブロック図、図４は、実施形態１に係る撮像装置のシャッターの開閉を行うためのフローチャートである。なお、前記各図では、説明を判り易くするため、各部材の厚さやサイズ、拡大・縮小率等は、実際のものとは一致させずに記載した。
【００２８】
図１〜図３に示すように、本開示の実施形態１に係る撮像装置１は、デジタルカメラであり、撮像装置１の筐体１１の前面には、撮影レンズ１２と、ファインダの対物側窓１３が配設されている。筐体１１の内部には、シャッター１８、絞り、撮像部１９、撮像を制御する制御部１００等が搭載されている。また、筐体１１の背面には、液晶ディスプレイ１５が配設されている。なお、シャッター１８、絞り、撮像部１９等は、従来のデジタルカメラに搭載されているものと同様のものである。
【００２９】
液晶ディスプレイ１５は、その一面にタッチパネルが内蔵されており、ファインダとしての機能を果たしている。また、この液晶ディスプレイ１５は、撮影レンズ１２を介して撮影される画像データや、各種機能へのアクセスを提供するユーザインターフェースとして使用される。そしてこの液晶ディスプレイ１５のうち、ユーザが筐体１１を把持した際に、ユーザの右手の親指が接触可能な領域（例えば、図２に点線で示す領域）は、ユーザが接触した際に、この接触を検出する第１のタッチセンサ２０として機能するようになっている。この第１のタッチセンサ２０は、制御部１００に接続されており、第１のタッチセンサ２０によって検出された信号は、制御部１００に送信される。
【００３０】
筐体１１の上面であって、ユーザが筐体１１を把持した際に接触可能な位置には、シャッターの開閉操作を行うシャッターボタン１６が配設されている。このシャッターボタン１６は、ユーザが接触した際に、この接触を検出するタッチセンサから構成されている。そして、撮像装置１は、ユーザが第１のタッチセンサ２０に接触した後、シャッターボタン１６（第２のタッチセンサ）に接触することで、シャッター１８が切れ、撮影レンズ１２を介して入射された光が撮像部１９に当たり、被写体（光学画像）が撮影されるようになっている。なお、このシャッターボタン１６は、制御部１００に接続されており、シャッターボタン１６によって検出された信号は、制御部１００に送信される。
【００３１】
なお、実施形態１では、図３に示すように、第１のタッチセンサ２０、シャッターボタン１６（第２のタッチセンサ）、及び制御部１００により、シャッター１８の開閉操作を行う操作部５０が構成されている。
【００３２】
シャッター１８が切れる（開閉される）具体的な動作は、例えば、図４（フローチャート）に示すように、先ず、ステップＳ１０１において、制御部１００は、第１のタッチセンサ２０が接触を検出したか否かを判断する。第１のタッチセンサ２０が接触を検出した（ステップＳ１０１：ＹＥＳ）場合は、ステップＳ１０２に進む。一方、第１のタッチセンサ２０が接触を検出しない（ステップＳ１０１：ＮＯ）場合は、ステップＳ１０１に戻る。
【００３３】
次に、ステップＳ１０２において、制御部１００は、シャッターボタン１６が接触を検出したか否かを判断する。シャッターボタン１６が接触を検出した（ステップＳ１０２：ＹＥＳ）場合は、ステップＳ１０３に進み、シャッター１８の開閉を行い、被写体の撮影を行う。一方、シャッターボタン１６が接触を検出しない（ステップＳ１０２：ＮＯ）場合は、ステップＳ１０４に進む。
【００３４】
次に、ステップＳ１０４において、制御部１００は、第１のタッチセンサ２０が接触を検出した時から所定時間が経過したか否かを判断する。所定時間が経過した（ステップＳ１０４：ＹＥＳ）場合は、このまま終了する。一方、所定時間が経過していない（ステップＳ１０４：ＮＯ）場合は、ステップＳ１０２に戻る。
【００３５】
即ち、この構成の撮像装置１は、第１のタッチセンサ２０が接触されることなく、シャッターボタン１６が接触された場合、シャッター１８が切れることがない。また、この撮像装置１は、第１のタッチセンサ２０が接触されても、シャッターボタン１６が接触されない場合、シャッター１８が切れることがない。したがって、例えば、撮像装置１を鞄の中や、ポケット等に入れておいた際に、意図しない接触によりシャッター１８が切れてしまうことを防止することができる。
【００３６】
なお、実施形態１では、制御部１００が、第１のタッチセンサ２０が接触を検出し、且つシャッターボタン１６が接触を検出したと判断した際に、シャッター１８の開閉を行うよう制御しているが、これに限らず、制御部１００は、第１のタッチセンサ２０が接触を検出し、第１のタッチセンサ２０がこの接触の解除を検出した後、シャッターボタン１６が接触を検出したと判断した際に、シャッター１８の開閉を行うよう制御してもよい。この場合、制御部１００は、第１のタッチセンサ２０が接触を検出しなくなった時から所定時間以内にシャッターボタン１６が接触を検出したと判断した際に、シャッター１８の開閉を行うように制御してもよい。
【００３７】
また、制御部１００は、第１のタッチセンサ２０が接触を検出し、且つシャッターボタン１６が接触を検出した時に、シャッター１８の開閉を行うよう制御してもよく、第１のタッチセンサ２０が接触を検出し、且つシャッターボタン１６が接触を検出した後、シャッターボタン１６がこの接触の解除を検出した時に、シャッター１８の開閉を行うよう制御してもよい。
【００３８】
そしてまた、制御部１００は、第１のタッチセンサ２０が接触を検出し、且つシャッターボタン１６が接触を検出した後、シャッターボタン１６がこの接触の解除を検出した時から所定時間以内に、シャッターボタン１６が再び接触を検出した際に、シャッター１８の開閉を行うよう制御してもよい。この場合、被写体を連写することができる。
【００３９】
さらにまた、制御部１００は、第１のタッチセンサ２０が接触を検出し、且つシャッターボタン１６が所定時間以上の接触を検出した際に、シャッターボタン１６がこの接触の解除を検出するまで一定時間経過毎にシャッター１８の開閉を行うよう制御してもよい。この場合、被写体を自動的に連写することができる。
【００４０】
また、実施形態１では、液晶ディスプレイ１５のうち、ユーザが筐体１１を把持した際に、ユーザの右手の親指が接触可能な領域を第１のタッチセンサ２０として機能させた場合について説明したが、これに限らず、例えば、図５に示すように、液晶ディスプレイ１５のうち、ユーザが筐体１１を把持した際に、ユーザの左手の親指が接触可能な領域を第１のタッチセンサ２０として機能させてもよく、また、ユーザが、液晶ディスプレイ１５の任意の領域を第１のタッチセンサ２０として機能させるよう設定してもよい。さらにまた、筐体１１の上面に液晶ディスプレイを配設し、この液晶ディスプレイのうち、ユーザが接触可能な領域をシャッターボタン１６として機能するよう設定してもよい。
【００４１】
そしてまた、実施形態１に係る撮像装置１は、第１のタッチセンサ２０を複数有していてもよい。例えば、撮像装置１は、図２に示す第１のタッチセンサ２０と、図５に示す第１のタッチセンサ２０の両方を有し、制御部１００は、図２に示す第１のタッチセンサ２０と、図５に示す第１のタッチセンサ２０の両者が接触を検出し、且つシャッターボタン１６が接触を検出した際にシャッター１８の開閉を行うよう制御してもよい。この場合、ユーザは、筐体１１を両手で把持することになるため、安定した姿勢で撮影することができる。
【００４２】
また、第１のタッチセンサ２０は、ピント合わせを開始するトリガーとして使用することもできる。ここで、タッチセンサ式でない通常のシャッターボタンの場合、シャッターボタンを半押しした時にピント合わせを行い、シャッターボタンを全押しした時にシャッターが切れるようになっているが、タッチセンサ式のシャッターボタンの場合、半押し状態と全押し状態の区別をすることが困難である。本開示に係る撮像装置１では、制御部１００が、第１のタッチセンサ２０が接触を検出した際に、オートフォーカスにより焦点距離を決定し、シャッターボタン１６が接触を検出した後、シャッター１８の開閉を行うよう制御することで、ピント合わせのトリガーとなるための素子（部品）を別途設ける必要がない。
【００４３】
さらにまた、実施形態１では、制御部１００が、指紋認証を行う指紋認証部を有し、第１のタッチセンサ２０の出力に基づいて指紋認証が正しいと判断した際に、第１のタッチセンサ２０が接触を検出したと判断するようにしてもよい。この場合、特定のユーザのみが撮影を行うことができる。また、写真再生モードへの切り替え条件として、この指紋認証を利用することで、ユーザの意図に反して写真が再生されることを防止することができ、セキュリティーを向上させることもできる。なお、この指紋認証の機能は、ユーザが任意に設定したり、解除したりすることができるようにすることで、特定のユーザの意志により、特定のユーザ以外が撮影を行なったり、写真を再生することも可能となる。
【００４４】
また、実施形態１では、第１のタッチセンサ２０を筐体１１の背面（液晶ディスプレイ１５）に配設し、シャッターボタン１６を筐体１１の上面に配設した場合について説明したが、これに限らず、第１のタッチセンサ２０及びシャッターボタン１６は、ユーザが筐体１１を把持した際に、ユーザが接触可能な位置であれば、任意の位置に配設することができる。例えば、液晶ディスプレイ１５の互いに間隔をおいた任意の位置に、第１のタッチセンサ２０及びシャッターボタン１６の機能を持たせてもよい。また、第１のタッチセンサ２０は、筐体１１の液晶ディスプレイ１５以外の位置に配設してもよい。
【実施形態２】
【００４５】
次に、本開示の実施形態２に係る携帯端末について図面を参照して説明する。図６は、本開示の実施形態２に係る携帯端末を簡略的に示す正面斜視図、図７は、図６に示す携帯端末が電話機モードにある状態を簡略的に示す正面斜視図、図８は、図６に示す携帯端末がカメラモードにある状態を簡略的に示す正面斜視図である。なお、前記各図では、説明を判り易くするため、各部材の厚さやサイズ、拡大・縮小率等は、実際のものとは一致させずに記載した。また、実施形態２では、実施形態１と同様の部材には、同一の符号を付し、その詳細な説明は省略する。
【００４６】
図６〜図８に示すように、本開示の実施形態２に係る携帯端末２は、無線によってデータ通信を行うデータ通信機能を有する折り畳み式のカメラ機能付き携帯電話であり、内部に実施形態１に係る撮像装置１と同様に、図３に示す構成の撮像装置が搭載されており、第１の筐体２１と第２の筐体２２とがヒンジ２３により接続された構成を有している。
【００４７】
第１の筐体２１には、ユーザが操作するタッチパネル式の液晶ディスプレイ２４が配設されている。この液晶ディスプレイ２４は、内部に搭載された処理回路に接続されており、各種モードに応じたユーザインターフェースを表示すると共に、ユーザインターフェースとして動作する。例えば、図７に示すように、携帯端末２が電話機モードにある場合は、液晶ディスプレイ２４には、文字・数字キー領域２６が表示され、ユーザは、通常の携帯電話のように文字・数字キー領域２６を操作することにより、電話番号を入力したり、メールのテキストを入力したりすることができるようになっている。
【００４８】
また、携帯端末２が、図８に示すようにカメラモードにある場合は、液晶ディスプレイ２４のうち、ユーザが第１の筐体２１を把持した際に、ユーザの一方の手（例えば、左手）の親指が接触可能な領域が、ユーザが接触した際に、この接触を検出する第１のタッチセンサ２０として機能するようになっている。また、液晶ディスプレイ２４のうち、ユーザが第１の筐体２１を把持した際に、ユーザの他方の手（例えば、右手）の親指が接触可能な領域が、シャッターボタン１６として機能するようになっている。なお、第１のタッチセンサ２０及びシャッターボタン１６は、実施形態１と同様に制御部１００に接続されており、第１のタッチセンサ２０及びシャッターボタン１６によって検出された信号は、制御部１００に送信される。なお、実施形態２では、この制御部１００は、第１の筐体２１の内部に搭載された処理回路の一部であってもよい。
【００４９】
第２の筐体２２には、液晶ディスプレイ２５が配設されている。この第２の筐体２２の液晶ディスプレイ２５が配設されている面とは反対側の面には、撮影レンズが配設されており、液晶ディスプレイ２５は、ファインダとしての機能を果たしている。また、第２の筐体２２の内部には、シャッター、絞り、撮像部等が搭載されている。
【００５０】
この携帯端末２により被写体を撮影するには、先ず、携帯端末２をカメラモードに切り替えて、第１の筐体２１を把持し、ユーザの一方の手（例えば、左手）の親指で第１のタッチセンサ２０を接触し、次に、ユーザの他方の手（例えば、右手）の親指でシャッターボタン１６を接触すれば、実施形態１と同様に被写体を撮影することができる。
【００５１】
この携帯端末２の内部に搭載された撮像装置も、実施形態１に係る撮像装置１と同様に、第１のタッチセンサ２０が接触を検出することなく、シャッターボタン１６が接触を検出した場合、シャッターが開閉することがなく、第１のタッチセンサ２０が接触を検出しても、シャッターボタン１６が接触を検出しない場合、シャッターが開閉することがない。したがって、例えば、携帯端末２を鞄の中や、ポケット等に入れておいた際に、意図しない接触によりシャッターが切れてしまうことを防止することができる。また、携帯端末２は、実施形態１で説明したピント合わせや指紋認証等の機能も同様に有している。
【００５２】
また、携帯端末２の内部に搭載された撮像装置においても、実施形態１と同様に、第１のタッチセンサ２０及びシャッターボタン１６の配設位置は、ユーザが第１の筐体２１または第２の筐体２２を把持した際に、接触可能な位置であれば、任意に決定することができる。
【符号の説明】
【００５３】
１…撮像装置、  ２…携帯端末、  １１…筐体、  １２…撮影レンズ、  １５、２４、２５…液晶ディスプレイ、  １６…シャッターボタン、  １８…シャッター、  ２０…第１のタッチセンサ、  ２１…第１の筐体、  ２２…第２の筐体、  ５０…操作部、  １００…制御部
【図１】
2011172168.tif 000003
【図２】
2011172168.tif 000004
【図３】
2011172168.tif 000005
【図４】
2011172168.tif 000006
【図５】
2011172168.tif 000007
【図６】
2011172168.tif 000008
【図７】
2011172168.tif 000009
【図８】
2011172168.tif 000010
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
筐体と、
前記筐体に内蔵されたシャッターと、
前記筐体に内蔵されると共に、前記シャッターが開いた際に入射される光を受光して被写体を撮影する撮像部と、
前記筐体に配設され、前記シャッターの開閉操作を行う操作部と、
前記筐体の第１の面に配設されたタッチパネルと、
を有し、
前記操作部は、前記筐体をユーザが把持した際に、当該ユーザが接触可能な複数の第１のタッチセンサと、第２のタッチセンサと、を有し、前記各々の第１のタッチセンサは、互いに間隔を置いた位置に配設され、少なくとも２つの前記第１のタッチセンサが接触を検出し、且つ当該接触から所定時間以内に前記第２のタッチセンサが接触を検出した後、前記シャッターの開閉操作を行い、
前記タッチパネルの所定領域が前記第１のタッチセンサとして機能し、
前記第２のタッチセンサは、前記筐体の前記第１の面とは異なる第２の面に配設されてなる撮像装置。
【請求項２】
筐体と、
前記筐体に内蔵されたシャッターと、
前記筐体に内蔵されると共に、前記シャッターが開いた際に入射される光を受光して被写体を撮影する撮像部と、
前記筐体に配設され、前記シャッターの開閉操作を行う操作部と、
を有し、
前記操作部は、前記筐体をユーザが把持した際に、当該ユーザが接触可能な複数の第１のタッチセンサと、第２のタッチセンサと、を有し、前記各々の第１のタッチセンサは、互いに間隔を置いた位置に配設され、少なくとも２つの前記第１のタッチセンサが接触を検出し、且つ当該接触から所定時間以内に前記第２のタッチセンサが接触を検出した後、前記シャッターの開閉操作を行う撮像装置。
【請求項３】
前記操作部は、前記少なくとも２つの第１のタッチセンサが前記接触の解除を検出し、且つ当該接触の解除から所定時間以内に前記第２のタッチセンサが接触を検出した後、前記シャッターの開閉操作を行う請求項２記載の撮像装置。
【請求項４】
前記操作部は、前記少なくとも２つの第１のタッチセンサが接触を検出している状態で前記第２のタッチセンサが接触を検出した後、前記シャッターの開閉操作を行う請求項２記載の撮像装置。
【請求項５】
前記操作部は、前記第２のタッチセンサが前記接触の解除を検出し、且つ当該接触の解除から所定時間以内に前記第２のタッチセンサが接触を検出した後、前記シャッターの開閉操作を行う請求項２記載の撮像装置。
【請求項６】
前記操作部は、前記第２のタッチセンサが所定時間以上接触されたことを検出した際に、当該接触が解除されるまで一定時間経過毎に前記シャッターの開閉操作を行う請求項２記載の撮像装置。
【請求項７】
前記操作部は、前記第２のタッチセンサが接触を検出した際に、前記シャッターの開閉操作を行う請求項２記載の撮像装置。
【請求項８】
前記操作部は、前記第２のタッチセンサが前記接触の解除を検出した際に、前記シャッターの開閉操作を行う請求項２記載の撮像装置。
【請求項９】
前記複数の第１のタッチセンサは、前記筐体の第１の面に配置されてなり、
前記第２のタッチセンサは、前記筐体の前記第１の面とは異なる第２の面に配置されてなる請求項２記載の撮像装置。
【請求項１０】
前記筐体に配設されたタッチパネルをさらに有し、当該タッチパネルの一部が前記複数の第１のタッチセンサ及び第２のタッチセンサの少なくとも一方として機能する請求項２記載の撮像装置。
【請求項１１】
前記タッチパネルのうち、前記複数の第１のタッチセンサ及び第２のタッチセンサの少なくとも一方として機能する領域は、前記ユーザが任意に設定可能である請求項１０記載の撮像装置。
【請求項１２】
前記筐体に配設されたタッチパネルをさらに有し、当該タッチパネルの互いに間隔をおいた所定領域が前記複数の第１のタッチセンサ及び第２のタッチセンサとして機能する請求項２記載の撮像装置。
【請求項１３】
前記タッチパネルの所定領域は、前記ユーザが任意に設定可能である請求項１２記載の撮像装置。
【請求項１４】
前記撮像部は、オートフォーカス機能を有し、前記少なくとも２つの第１のタッチセンサが接触を検出した際に焦点距離を決定する請求項２記載の撮像装置。
【請求項１５】
前記操作部は、指紋認証を行う制御部を有し、当該制御部は、前記少なくとも２つの第１のタッチセンサが接触を検出した際に出力される信号に基づいて指紋認証が正しいと判断した際に、当該第１のタッチセンサが接触を検出したと判断する請求項２記載の撮像装置。
【請求項１６】
請求項２に記載の撮像装置と、
無線によってデータ通信を行うデータ通信機能と、
を備えてなる携帯端末。
【請求項１７】
シャッターの開閉操作により被写体を撮影する撮像方法であって、
撮像装置の筐体の互いに間隔を置いた位置に配設された少なくとも２つの第１のタッチセンサが接触を検出すること、
前記少なくとも２つの第１のタッチセンサが接触を検出した後、前記撮像装置の筐体に配設された第２のタッチセンサが接触を検出すること、
を含み、
前記第２のタッチセンサが接触を検出した後、前記撮像装置の制御部が前記シャッターの開閉操作を行う撮像方法。
【手続補正書】
【提出日】平成22年9月15日(2010.9.15)
【手続補正１】
【補正対象書類名】特許請求の範囲
【補正対象項目名】全文
【補正方法】変更
【補正の内容】
【特許請求の範囲】
【請求項１】
筐体と、
前記筐体に内蔵されたシャッターと、
前記筐体に内蔵されると共に、前記シャッターが開いた際に入射される光を受光して被写体を撮影する撮像部と、
前記筐体に配設され、前記シャッターの開閉操作を行う操作部と、
前記筐体の第１の面に配設されたタッチパネルと、
を有し、
前記操作部は、前記筐体をユーザが把持した際に、当該ユーザが接触可能な複数の第１のタッチセンサと、第２のタッチセンサと、を有し、前記各々の第１のタッチセンサは、互いに間隔を置いた位置に配設され、少なくとも２つの前記第１のタッチセンサの一方が右手で接触可能な位置に配置され、他方が左手で接触可能な位置に配設されてなり、前記少なくとも２つの前記第１のタッチセンサが接触を検出し、且つ当該接触から所定時間以内に前記第２のタッチセンサが接触を検出した後、前記シャッターの開閉操作を行い、
前記タッチパネルの所定領域が前記第１のタッチセンサとして機能し、
前記第２のタッチセンサは、前記筐体の前記第１の面とは異なる第２の面に配設されてなる撮像装置。
【請求項２】
筐体と、
前記筐体に内蔵されたシャッターと、
前記筐体に内蔵されると共に、前記シャッターが開いた際に入射される光を受光して被写体を撮影する撮像部と、
前記筐体に配設され、前記シャッターの開閉操作を行う操作部と、
を有し、
前記操作部は、前記筐体をユーザが把持した際に、当該ユーザが接触可能な複数の第１のタッチセンサと、第２のタッチセンサと、を有し、前記各々の第１のタッチセンサは、互いに間隔を置いた位置に配設され、少なくとも２つの前記第１のタッチセンサの一方が右手で接触可能な位置に配置され、他方が左手で接触可能な位置に配設されてなり、前記少なくとも２つの前記第１のタッチセンサが接触を検出し、且つ当該接触から所定時間以内に前記第２のタッチセンサが接触を検出した後、前記シャッターの開閉操作を行う撮像装置。
【請求項３】
前記操作部は、前記少なくとも２つの第１のタッチセンサが前記接触の解除を検出し、且つ当該接触の解除から所定時間以内に前記第２のタッチセンサが接触を検出した後、前記シャッターの開閉操作を行う請求項２記載の撮像装置。
【請求項４】
前記操作部は、前記少なくとも２つの第１のタッチセンサが接触を検出している状態で前記第２のタッチセンサが接触を検出した後、前記シャッターの開閉操作を行う請求項２記載の撮像装置。
【請求項５】
前記操作部は、前記第２のタッチセンサが前記接触の解除を検出し、且つ当該接触の解除から所定時間以内に前記第２のタッチセンサが接触を検出した後、前記シャッターの開閉操作を行う請求項２記載の撮像装置。
【請求項６】
前記操作部は、前記第２のタッチセンサが所定時間以上接触されたことを検出した際に、当該接触が解除されるまで一定時間経過毎に前記シャッターの開閉操作を行う請求項２記載の撮像装置。
【請求項７】
前記操作部は、前記第２のタッチセンサが接触を検出した際に、前記シャッターの開閉操作を行う請求項２記載の撮像装置。
【請求項８】
前記操作部は、前記第２のタッチセンサが前記接触の解除を検出した際に、前記シャッターの開閉操作を行う請求項２記載の撮像装置。
【請求項９】
前記複数の第１のタッチセンサは、前記筐体の第１の面に配置されてなり、
前記第２のタッチセンサは、前記筐体の前記第１の面とは異なる第２の面に配置されてなる請求項２記載の撮像装置。
【請求項１０】
前記筐体に配設されたタッチパネルをさらに有し、当該タッチパネルの一部が前記複数の第１のタッチセンサ及び第２のタッチセンサの少なくとも一方として機能する請求項２記載の撮像装置。
【請求項１１】
前記タッチパネルのうち、前記複数の第１のタッチセンサ及び第２のタッチセンサの少なくとも一方として機能する領域は、前記ユーザが任意に設定可能である請求項１０記載の撮像装置。
【請求項１２】
前記筐体に配設されたタッチパネルをさらに有し、当該タッチパネルの互いに間隔をおいた所定領域が前記複数の第１のタッチセンサ及び第２のタッチセンサとして機能する請求項２記載の撮像装置。
【請求項１３】
前記タッチパネルの所定領域は、前記ユーザが任意に設定可能である請求項１２記載の撮像装置。
【請求項１４】
前記撮像部は、オートフォーカス機能を有し、前記少なくとも２つの第１のタッチセンサが接触を検出した際に焦点距離を決定する請求項２記載の撮像装置。
【請求項１５】
前記操作部は、指紋認証を行う制御部を有し、当該制御部は、前記少なくとも２つの第１のタッチセンサが接触を検出した際に出力される信号に基づいて指紋認証が正しいと判断した際に、当該第１のタッチセンサが接触を検出したと判断する請求項２記載の撮像装置。
【請求項１６】
請求項２に記載の撮像装置と、
無線によってデータ通信を行うデータ通信機能と、
を備えてなる携帯端末。
【請求項１７】
シャッターの開閉操作により被写体を撮影する撮像方法であって、
撮像装置の筐体の互いに間隔を置いた位置に配設された複数の第１のタッチセンサのうち、少なくとも２つの前記第１のタッチセンサの一方が右手で接触可能な位置に配置され、他方が左手で接触可能な位置に配設されてなり、前記少なくとも２つの第１のタッチセンサが接触を検出すること、
前記少なくとも２つの第１のタッチセンサが接触を検出した後、前記撮像装置の筐体に配設された第２のタッチセンサが接触を検出すること、
を含み、
前記第２のタッチセンサが接触を検出した後、前記撮像装置の制御部が前記シャッターの開閉操作を行う撮像方法。